(57)【要約】【課題】無線基地局装置のスループットの低下を防止する。【解決手段】本発明の無線基地局装置１０は、ＵＥから受信した受信信号のＢＬＥＲを測定するＢＬＥＲ測定部１４と、測定されたＢＬＥＲが目標値以上である場合に、ＨＳ−ＰＤＳＣＨに割当てるデータの送信電力を一定量ずつ段階的に増加させるリソース割当て部１６と、を有する。【選択図】図２
2008245017.tif 000002
【特許請求の範囲】
【請求項１】
ＨＳ−ＰＤＳＣＨにリソースを割当て、該ＨＳ−ＰＤＳＣＨを介して移動局にデータを送信する無線基地局装置であって、
前記移動局から受信した受信信号のＢＬＥＲを測定するＢＬＥＲ測定部と、
前記測定されたＢＬＥＲが目標値以上である場合には、前記ＨＳ−ＰＤＳＣＨにリソースとして割当てるデータの送信電力を、一定量ずつ段階的に増加させるリソース割当て部と、を有する無線基地局装置。
【請求項２】
前記リソース割当て部は、前記ＨＳ−ＰＤＳＣＨに割当てる送信電力の増加量が上限値に達しても前記測定されたＢＬＥＲが目標値以上である場合には、前記ＨＳ−ＰＤＳＣＨに割当てる送信電力以外の他リソースを変更する請求項１に記載の無線基地局装置。
【請求項３】
前記リソース割当て部は、前記ＨＳ−ＰＤＳＣＨに前記他リソースとして割当てるデータのＴＢＳを減少させる請求項２に記載の無線基地局装置。
【請求項４】
前記リソース割当て部は、前記ＨＳ−ＰＤＳＣＨに前記他リソースとして割当てるデータのコード数を減少させる請求項２に記載の無線基地局装置。
【請求項５】
前記リソース割当て部は、前記ＨＳ−ＰＤＳＣＨに前記他リソースとして割当てるデータの変換方式を変更する請求項２に記載の無線基地局装置。
【請求項６】
ＨＳ−ＰＤＳＣＨにリソースを割当て、該ＨＳ−ＰＤＳＣＨを介して移動局にデータを送信する無線基地局装置によるリソース割当方法であって、
前記無線基地局装置が、前記移動局から受信した受信信号のＢＬＥＲを測定するＢＬＥＲ測定ステップと、
前記無線基地局装置が、前記測定されたＢＬＥＲが目標値以上である場合には、前記ＨＳ−ＰＤＳＣＨにリソースとして割当てるデータの送信電力を、一定量ずつ段階的に増加させる送信電力割当てステップと、を有するリソース割当方法。
【請求項７】
前記無線基地局装置が、前記ＨＳ−ＰＤＳＣＨに割当てる送信電力の増加量が上限値に達しても前記測定されたＢＬＥＲが目標値以上である場合には、前記ＨＳ−ＰＤＳＣＨに割当てる送信電力以外の他リソースを変更する他リソース割当てステップ、をさらに有する請求項６に記載のリソース割当方法。
【請求項８】
前記他リソース割当てステップでは、前記ＨＳ−ＰＤＳＣＨに前記他リソースとして割当てるデータのＴＢＳを減少させる請求項７に記載のリソース割当方法。
【請求項９】
前記他リソース割当てステップでは、前記ＨＳ−ＰＤＳＣＨに前記他リソースとして割当てるデータのコード数を減少させる請求項７に記載のリソース割当方法。
【請求項１０】
前記他リソース割当てステップでは、前記ＨＳ−ＰＤＳＣＨに前記他リソースとして割当てるデータの変換方式を変更する請求項７に記載のリソース割当方法。
【請求項１１】
ＨＳ−ＰＤＳＣＨにリソースを割当て、該ＨＳ−ＰＤＳＣＨを介して移動局にデータを送信する無線基地局装置となるコンピュータに、
前記移動局から受信した受信信号のＢＬＥＲを測定する手順と、
前記測定されたＢＬＥＲが目標値以上である場合には、前記ＨＳ−ＰＤＳＣＨにリソースとして割当てるデータの送信電力を、一定量ずつ段階的に増加させる手順と、を実行させるためのリソース割当てプログラム。
【請求項１２】
前記コンピュータに、
前記無線基地局装置が、前記ＨＳ−ＰＤＳＣＨに割当てる送信電力の増加量が上限値に達しても前記測定されたＢＬＥＲが目標値以上である場合には、前記ＨＳ−ＰＤＳＣＨに割当てる送信電力以外の他リソースを変更する手順をさらに実行させるための請求項１１に記載のリソース割当てプログラム。
【発明の詳細な説明】
【技術分野】
【０００１】
本発明は、無線基地局装置において、移動局へのデータ送信に用いるＨＳ−ＰＤＳＣＨ（Ｈｉｇｈ  Ｓｐｅｅｄ  Ｐｈｙｓｉｃａｌ  Ｄｏｗｎｌｉｎｋ  Ｓｈａｒｅｄ  Ｃｈａｎｎｅｌ）に対し、リソースを割当てる技術に関する。
【背景技術】
【０００２】
３ＧＰＰ（第３世代パートナーシッププロジェクト）では、高速下りリンクパケットアクセス（ＨＳＤＰＡ：Ｈｉｇｈ  Ｓｐｅｅｄ  Ｄｏｗｎｌｉｎｋ  Ｐａｃｋｅｔ  Ａｃｃｅｓｓ）の仕様を定めている。
【０００３】
ＨＳＤＰＡでは、無線基地局装置は、ＵＥ（Ｕｓｅｒ  Ｅｑｕｉｐｍｅｎｔ）に対するデータ送信を、ＨＳ−ＰＤＳＣＨを介して行っている。
【０００４】
また、ＨＳＤＰＡでは、下りリンクの伝搬品質を示す指標として、ＵＥで算出されるＣＱＩ（Ｃｈａｎｎｅｌ  Ｑｕａｌｉｔｙ  Ｉｎｄｉｃａｔｏｒ）を用いている。このＣＱＩは、ＵＥから無線基地局装置にＨＳ−ＤＰＣＣＨ（Ｈｉｇｈ  Ｓｐｅｅｄ  Ｄｅｄｉｃａｔｅｄ  Ｐｈｙｓｉｃａｌ  Ｃｏｎｔｒｏｌ  Ｃｈａｎｎｅｌ）を介して報告される。無線基地局装置は、ＵＥから報告されたＣＱＩに基づいて、ＨＳ−ＰＤＳＣＨに対するリソース割当てを行っている（例えば、特許文献１参照）。
【特許文献１】特開２００６−２１７１９０号公報
【発明の開示】
【発明が解決しようとする課題】
【０００５】
ところで、３ＧＰＰ  ＴＳ２５．１４１では、ＵＥから無線基地局装置に報告されるＣＱＩに、上下２ｄＢの範囲で誤差を認めている。
【０００６】
そのため、無線基地局装置は、ＵＥから報告されたＣＱＩの値をそのまま使用したのでは、適切なリソース割当てを行うことができない。これにより、ＵＥ側で無線基地局装置からのデータを正しく受信することができなくなり、その結果、無線基地局装置のスループットが低下してしまうという課題があった。
【０００７】
そこで、本発明の目的は、スループットの低下を防止することができる無線基地局装置、リソース割当て方法、リソース割当てプログラムを提供することにある。
【課題を解決するための手段】
【０００８】
上記目的を達成するために本発明は、
ＨＳ−ＰＤＳＣＨにリソースを割当て、該ＨＳ−ＰＤＳＣＨを介して移動局にデータを送信する無線基地局装置であって、
前記移動局から受信した受信信号のＢＬＥＲを測定するＢＬＥＲ測定部と、
前記測定されたＢＬＥＲが目標値以上である場合には、前記ＨＳ−ＰＤＳＣＨにリソースとして割当てるデータの送信電力を、一定量ずつ段階的に増加させるリソース割当て部と、を有することを特徴とする。
【０００９】
この構成によれば、無線基地局装置は、測定ＢＬＥＲが目標値以上である場合には、ＨＳ−ＰＤＳＣＨに割当てる送信電力を増加させる。
【００１０】
したがって、移動局側では、無線基地局装置からのデータを正しく受信できるようになり、無線基地局装置へＮＡＣＫ情報を送信することが少なくなる。その結果、無線基地局装置から移動局へのＭＡＣ−ｈｓ層でのデータ再送を減らすことができるため、無線基地局装置のスループット低下を防ぐことができる。
【００１１】
また、前記リソース割当て部は、前記ＨＳ−ＰＤＳＣＨに割当てる送信電力の増加量が上限値に達しても前記測定されたＢＬＥＲが目標値以上である場合には、前記ＨＳ−ＰＤＳＣＨに割当てる送信電力以外の他リソースを変更することを特徴とする。
【００１２】
この構成によれば、ＣＱＩの誤差を考慮して、無線基地局装置による送信電力の増加量に上限値（例えば、２ｄＢ）を定める。そして、無線基地局装置は、送信電力の増加量が上限値に達してもなお測定ＢＬＥＲが目標値以上である場合には、ＣＱＩの誤差が許容範囲を超えると判断して、ＨＳ−ＰＤＳＣＨに割当てる他リソースを変更する。
【００１３】
したがって、移動局が誤差の許容範囲を超えて必要以上に高いＣＱＩを報告してきた場合にも、適切な範囲でのリソース割当てを行うことができるため、無線基地局装置のスループット低下を防ぐことができる。
【発明の効果】
【００１４】
本発明によれば、無線基地局装置は、測定ＢＬＥＲが目標値以上である場合には、ＨＳ−ＰＤＳＣＨに割当てる送信電力を増加させる。
【００１５】
したがって、移動局側では、無線基地局装置からのデータを正しく受信できるようになり、無線基地局装置へＮＡＣＫ情報を送信することが少なくなる。その結果、無線基地局装置から移動局へのＭＡＣ−ｈｓ層でのデータ再送を減らすことができるため、無線基地局装置のスループット低下を防ぐことができるという効果が得られる。
【発明を実施するための最良の形態】
【００１６】
以下に、本発明を実施するための最良の形態について図面を参照して説明する。
【００１７】
図１は、本実施形態の無線基地局装置１０がＵＥ（移動局）２０との間で行う通信方式を説明する図である。
【００１８】
図１を参照すると、下りリンクにおいては、無線基地局装置１０は、ＨＳ−ＰＤＳＣＨを介して、ＵＥ２０にデータを送信する。
【００１９】
また、上りリンクにおいては、ＵＥ２０は、ＨＳ−ＤＰＣＣＨを介して、上述したＣＱＩや、無線基地局装置１０からのデータを正しく受信できたか否かを示すＡＣＫ（Ａｃｋｎｏｗｌｅｄｇｍｅｎｔ）／ＮＡＣＫ（Ｎｅｇａｔｉｖｅ  ＡＣＫ）情報を、無線基地局装置１０に送信する。
【００２０】
図２は、無線基地局装置１０の内部構成を示すブロック図である。なお、図２は、本発明に関係する部分のみを示し、その他の部分は省略されている。
【００２１】
図２を参照すると、無線基地局装置１０は、ＨＳ−ＤＰＣＣＨ復号部１１と、ＣＱＩ取得部１２と、ＡＣＫ／ＮＡＣＫ取得部１３と、ＢＬＥＲ測定部１４と、スケジューリング決定部１５と、リソース割当て部１６と、を有している。
【００２２】
ＨＳ−ＤＰＣＣＨ復号部１１は、ＵＥ２０からＨＳ−ＤＰＣＣＨを介して受信した受信信号を復号する。
【００２３】
ＣＱＩ取得部１２は、ＨＳ−ＤＰＣＣＨ復号部１１で復号された受信信号に含まれるＣＱＩを取得する。
【００２４】
ＡＣＫ／ＮＡＣＫ取得部１３は、ＨＳ−ＤＰＣＣＨ復号部１１で復号された受信信号に含まれるＡＣＫ／ＮＡＣＫ情報を取得する。
【００２５】
ＢＬＥＲ測定部１４は、ＵＥ２０からＨＳ−ＤＰＣＣＨを介して受信した受信信号のＢＬＥＲを測定する。
【００２６】
スケジューリング決定部１５は、リソース割当て部１６でリソース割当てを行うＵＥ２０のスケジューリングを行う。例えば、ＵＥ２０がＨＳＤＰＡのサービスを開始した時に、そのＵＥ２０へのリソース割当てを行うことに決定する。
【００２７】
リソース割当て部１６は、スケジューリング決定部１５でＵＥ２０へのリソース割当てを行うことが決定されると、ＣＱＩ取得部１２で取得されたＣＱＩに基づいて、ＨＳ−ＰＤＳＣＨにおける、データの送信電力、データのＴＢＳ（Ｔｒａｎｓｐｏｒｔ  Ｂｌｏｃｋ  Ｓｉｚｅ）、データの変調方式、データのコード数を、リソースとして割当てる。この時点でＨＳ−ＰＤＳＣＨに割当てるリソースは、任意の方法で計算できる。例えば、ＨＳ−ＰＤＳＣＨに割当てる送信電力の計算方法としては、３ＧＰＰ  ＴＳ２５．２１４に記述のある、「該当セルでのＰｒｉｍａｒｙ−ＣＰＩＣＨ＋Ｍｅａｓｕｒｅｍｅｎｔ  Ｐｏｗｅｒ  Ｏｆｆｓｅｔ  ＋受信したＣＱＩに対応するＲｅｆｅｒｅｎｃｅ  Ｐｏｗｅｒ  Ｏｆｆｓｅｔ」という式を用いる方法がある。
【００２８】
さらに、リソース割当て部１６は、ＢＬＥＲ測定部１４で測定された測定ＢＬＥＲが、ＢＬＥＲの目標値となる目標ＢＬＥＲ以上である場合、ＨＳ−ＰＤＳＣＨに対するリソースの再割当てを行うこととし、ＨＳ−ＰＤＳＣＨに割当てた送信電力を一定量ずつ段階的に増加させる。
【００２９】
ここで、無線基地局装置１０においては、ＵＥ２０から報告されるＣＱＩの誤差を考慮して、ＨＳ−ＰＤＳＣＨに割当てる送信電力の増加量に上限値（例えば、２ｄＢ）が定められている。
【００３０】
リソース割当て部１６がＨＳ−ＰＤＳＣＨに割当てる送信電力を増加させた結果、その増加量が上限値に達しても、測定ＢＬＥＲが目標ＢＬＥＲ以上である場合がある。この場合、リソース割当て部１６は、ＣＱＩの誤差が許容範囲を超えていると判断して、ＨＳ−ＰＤＳＣＨに割当てる送信電力以外の他のリソース（ＴＢＳ、変調方式、コード数）を変更する。
【００３１】
不図示のＨＳ−ＰＤＳＣＨ送信部は、リソース割当て部１６によりリソースが割当てられたＨＳ−ＰＤＳＣＨを介して、ＵＥ２０にデータを送信することになる。
【００３２】
以下、無線基地局装置１０によるリソース割当て動作について説明する。なお、ここでは、ＵＥ２０がＨＳＤＰＡのサービスを開始し、ＨＳ−ＰＤＳＣＨにすでにリソースが割当てられているものと仮定して、その後の動作について説明する。
【００３３】
図３は、無線基地局装置１０が、ＨＳ−ＰＤＳＣＨに割当てる送信電力を変更する動作を説明するフローチャートである。また、図４は、無線基地局装置１０が、ＨＳ−ＰＤＳＣＨに割当てる送信電力の増加量が上限値を超えた場合に、ＨＳ−ＰＤＳＣＨに割当てる他リソースを変更する動作を説明するフローチャートである。
【００３４】
なお、図３および図４では、以下のような係数を用いるものとする。
【００３５】
ｉ：ＨＳ−ＰＤＳＣＨに割当てる送信電力を段階的に変更するためのステップ数
ｒ：ステップ数ｉに対応する送信電力の単位増加量
ｊ：ＨＳ-ＰＤＳＣＨに割当てる他リソースを段階的に変更するためのステップ数
Ｔ：ＢＬＥＲの測定を行う時間
Ｑｍａｘ：ＨＳ-ＰＤＳＣＨに割当てる送信電力の増加量の上限値
Ｐｍａｘ：ＨＳ-ＰＤＳＣＨに割当て可能な送信電力の上限値
ここで、ｒ、Ｑｍａｘ、目標ＢＬＥＲは、リソース割当て部１６の内部に予め記憶されるか、または、外部からリソース割当て部１６に設定されるものとする。また、Ｔは、ＢＬＥＲ測定部１４の内部に予め記憶されるか、または、外部からＢＬＥＲ測定部１４に設定されるものとする。
【００３６】
図３を参照すると、まず、ステップ１−１では、リソース割当て部１６は、ステップ数ｉを初期化する（ｉ＝０）。また、ＢＬＥＲ測定部１４は、Ｔの間、受信信号のＢＬＥＲを測定する。
【００３７】
続いて、ステップ１−２では、リソース割当て部１６は、ステップ１−１で測定された測定ＢＬＥＲと目標ＢＬＥＲとの比較を行う。もし、測定ＢＬＥＲが目標ＢＬＥＲ以上である場合は、ステップ１−３の処理へ進む。一方、測定ＢＬＥＲが目標ＢＬＥＲ未満である場合は、ステップ１−７の処理へ進む。
【００３８】
ステップ１−３では、リソース割当て部１６は、ＨＳ−ＰＤＳＣＨに割当てる送信電力の増加量を上限値Ｑｍａｘと比較する。ここで、送信電力の増加量はｒ×ｉとする。もし、送信電力の増加量がＱｍａｘを超えている場合は、リソース割当て部１６は、ＣＱＩの誤差が許容範囲を超えると判断し、図２のステップ２−１の処理へ進む。一方、送信電力の増加量がＱｍａｘ以下である場合は、ステップ１−４の処理へ進む。
【００３９】
ステップ１−４では、リソース割当て部１６は、ステップ数ｉを１増加させ、続いて、ステップ１−５では、リソース割当て部１６は、実際にＨＳ−ＰＤＳＣＨに割当てる送信電力をｒ×ｉだけ増加させる。
【００４０】
続いて、ステップ１−６では、リソース割当て部１６は、実際にＨＳ−ＰＤＳＣＨに割当てる送信電力（ステップ１−５で増加させた増加量分を含む）を、ＨＳ-ＰＤＳＣＨに割当て可能な送信電力の上限値Ｐｍａｘと比較する。Ｐｍａｘは他のチャネルとの兼ね合いで決定される。もし、送信電力がＰｍａｘ以下である場合は、ステップ１−７の処理へ進む。一方、送信電力がＰｍａｘを超えている場合は、ステップ１−８の処理へ進む。
【００４１】
ステップ１−８では、リソース割当て部１６は、ＨＳ−ＰＤＳＣＨに割当てる送信電力をＰｍａｘまで減少させ、その減少分だけ、３ＧＰＰ  ＴＳ２５．１４１のテーブルで他リソース（ＴＢＳ、コード数、変調方式）を変更して、ステップ１−７の処理へ進む。例えば、送信電力の減少分が２ｄＢであれば、２ｄＢに相当する量だけＴＢＳやコード数を増加させたり、２ｄＢに相当する量を補えるような変換方式に変更したりする。なお、ここでは、ＴＢＳ、変調方式、およびコード数を全て変更する必要はなく、少なくとも１つを変更すれば良い。
【００４２】
ステップ１−７では、ＢＬＥＲ測定部１４は、Ｔの間、受信信号のＢＬＥＲを測定し、ステップ１−２の処理へと戻る。
【００４３】
図４を参照すると、図３のステップ１−３でＨＳ−ＰＤＳＣＨに割当てる送信電力の増加量がＱｍａｘを超えていた場合、まず、ステップ２−１では、リソース割当て部１６は、ステップ数ｊを初期化する。このとき、測定ＢＬＥＲは目標ＢＬＥＲ以上であるため、ステップ数ｊを１として処理を始めるものとする。
【００４４】
続いて、ステップ２−２では、リソース割当て部１６は、ＨＳ−ＰＤＳＣＨに割当てる送信電力以外の他リソース（ＴＢＳ、コード数、変調方式）を変更する。このとき、送信電力の増加量分は据え置いたままにして、３ＧＰＰ  ＴＳ２５．１４１のテーブルで他リソース（ＴＢＳ、コード数、変調方式）をｊ分だけオフセットをつけて変更する。例えば、ｊに相当する量だけＴＢＳやコード数を減少させたり、ｊに相当する変調方式に変更したりする。なお、ここでは、ＴＢＳ、変調方式、およびコード数を全て変更する必要はなく、少なくとも１つを変更すれば良い。
【００４５】
続いて、ステップ２−３では、ＢＬＥＲ測定部１４は、Ｔの間、受信信号のＢＬＥＲを測定し、続いて、ステップ２−４では、リソース割当て部１６は、ステップ２−３で測定された測定ＢＬＥＲと目標ＢＬＥＲとの比較を行う。もし、測定ＢＬＥＲが目標ＢＬＥＲ以上である場合は、ステップ２−５の処理へ進む。一方、測定ＢＬＥＲが目標ＢＬＥＲ未満である場合は、ステップ２−３の処理へと戻る。
【００４６】
ステップ２−５では、リソース割当て部１６は、ステップ数ｊを１増加させ、ステップ２−２の処理へと戻る。
【００４７】
上述したように本実施形態においては、無線基地局装置１０は、測定ＢＬＥＲが目標ＢＬＥＲ以上である場合には、ＨＳ−ＰＤＳＣＨに割当てる送信電力を増加させる。
【００４８】
したがって、ＵＥ２０側では、無線基地局装置１０からのデータを正しく受信できるようになり、無線基地局装置１０へＮＡＣＫ情報を送信することが少なくなる。その結果、無線基地局装置１０からＵＥ２０へのＭＡＣ−ｈｓ層でのデータ再送を減らすことができるため、無線基地局装置１０のスループット低下を防ぐことができる。
【００４９】
また、本実施形態においては、ＣＱＩの誤差を考慮して、無線基地局装置１０による送信電力の増加量に上限値を定める。そして、無線基地局装置１０は、送信電力の増加量が上限値に達してもなお、測定ＢＬＥＲが目標ＢＬＥＲ以上である場合には、ＣＱＩの誤差が許容範囲を超えると判断して、ＨＳ−ＰＤＳＣＨに割当てる他リソースを変更する。
【００５０】
したがって、無線基地局装置１０は、ＵＥ２０が誤差の許容範囲を超えて必要以上に高いＣＱＩを報告してきた場合にも、適切な範囲でのリソース割当てを行うことができるため、無線基地局装置１０のスループット低下を防ぐことができる。
【００５１】
なお、無線基地局装置１０は、上記の専用のハードウェアにより実現する以外に、その機能を実現するためのプログラムを、コンピュータ読み取りが可能な記録媒体に記録して、この記録媒体に記録されたプログラムを、無線基地局装置１０となるコンピュータに読み込ませて実行することにより、実現するものでもよい。コンピュータ読み取りが可能な記録媒体とは、フロッピーディスク、光磁気ディスク、ＣＤ−ＲＯＭ等の記録媒体、コンピュータに内蔵されるハードディスク装置等の記憶装置を指す。さらに、コンピュータ読み取りが可能な記録媒体とは、インターネットを介してプログラムを送信する場合のように、短時間の間に、動的にプログラムを保持するもの（伝送媒体もしくは伝送波）、コンピュータ内部の揮発性メモリのように、一定時間プログラムを保持しているものも含む。
【図面の簡単な説明】
【００５２】
【図１】本発明の一実施形態の無線基地局装置がＵＥとの間で行う通信方式を説明する図である。
【図２】図１に示した無線基地局装置の内部構成を示すブロック図である。
【図３】図１に示した無線基地局装置が、ＨＳ−ＰＤＳＣＨに割当てる送信電力を変更する動作を説明するフローチャートである。
【図４】図１に示した無線基地局装置が、ＨＳ−ＰＤＳＣＨに割当てる送信電力の増加量が上限値を超えた場合に、ＨＳ−ＰＤＳＣＨに割当てる他リソースを変更する動作を説明するフローチャートである。
【符号の説明】
【００５３】
１０    無線基地局装置
１１    ＨＳ−ＤＰＣＣＨ復号部
１２    ＣＱＩ取得部
１３    ＡＣＫ／ＮＡＣＫ取得部
１４    ＢＬＥＲ測定部
１５    スケジューリング決定部
１６    リソース割当て部
２０    ＵＥ（移動局）
【図１】
2008245017.tif 000003
【図２】
2008245017.tif 000004
【図３】
2008245017.tif 000005
【図４】
2008245017.tif 000006